【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
画像形成に用いられるオブジェクトが含まれるデータを編集可能な情報処理装置であって、
前記オブジェクトの画像形成に先立って、前記オブジェクトを特定の画像形成に用いられる資源で正常出力可能かどうかを判断する判断手段と、
前記判断手段が正常出力可能と判断したオブジェクトはそのオブジェクトの編集を制限し、前記判断手段が正常出力不可能と判断したオブジェクトはそのオブジェクトの編集を制限しないデータを形成する形成手段と、
を備えることを特徴とする情報処理装置。
【請求項２】
前記判断手段は、前記オブジェクトが更新される場合に、前記オブジェクトを前記特定の画像形成に用いられる資源で正常出力可能かどうかを再判断することを特徴とする請求項１記載の情報処理装置。
【請求項３】
前記形成手段は、前記オブジェクトに対する編集要求時に、入力される認証情報に基づいて編集要求を許可とするか不許可とするかを決定することを特徴とする請求項１記載の情報処理装置。
【請求項４】
前記形成手段は、前記オブジェクト内に前記判断手段により正常出力不可能と判断される要因を示すコメントを挿入可能とすることを特徴とする請求項１記載の情報処理装置。 
【請求項５】
前記オブジェクトを保存する保存手段と、
前記判断手段による再判断で正常出力可能と判断されたオブジェクトに基づいて、前記保存手段に保存されているオブジェクトを更新する更新手段と、
を有することを特徴とする請求項２記載の情報処理装置。
【請求項６】
前記判断手段により前記オブジェクトを前記特定の画像形成に用いられる資源で正常出力不可能と判断した場合、前記オブジェクトを正常出力可能とするための修正候補を画像情報で出力する修正候補出力手段を有することを特徴とする請求項１記載の情報処理装置。
【請求項７】
前記修正候補出力手段は、前記修正候補をアニメーションで出力することを特徴とする請求項６記載の情報処理装置。
【請求項８】
前記修正候補出力手段は、前記修正候補を３Ｄオブジェクトで出力することを特徴とする請求項６記載の情報処理装置。
【請求項９】
画像形成に用いられるオブジェクトが含まれるデータを編集可能な情報処理装置における情報処理方法であって、
前記オブジェクトの画像形成に先立って、前記オブジェクトを特定の画像形成に用いられる資源で正常出力可能かどうかを判断する判断工程と、
前記判断工程が正常出力可能と判断したオブジェクトはそのオブジェクトの編集を制限し、前記判断工程が正常出力不可能と判断したオブジェクトはそのオブジェクトの編集を制限しないデータを形成する形成工程と、
を備えることを特徴とする情報処理方法。
【請求項１０】
前記判断工程は、前記オブジェクトが更新される場合に、前記オブジェクトを前記特定の画像形成に用いられる資源で正常出力可能かどうかを再判断することを特徴とする請求項９記載の情報処理方法。
【請求項１１】
前記形成工程は、前記オブジェクトに対する編集要求時に、入力される認証情報に基づいて編集要求を許可とするか不許可とするかを決定することを特徴とする請求項９記載の情報処理方法。
【請求項１２】
前記形成工程は、前記オブジェクト内に前記判断工程により正常出力不可能と判断される要因を示すコメントを挿入可能とすることを特徴とする請求項９記載の情報処理方法。 
【請求項１３】
前記オブジェクトを保存手段に保存する保存工程と、
前記判断工程による再判断で正常出力可能と判断されたオブジェクトに基づいて、前記保存手段に保存されているオブジェクトを更新する更新工程と、
を有することを特徴とする請求項１０記載の情報処理方法。
【請求項１４】
前記判断工程により前記オブジェクトを前記特定の画像形成に用いられる資源で正常出力不可能と判断した場合、前記オブジェクトを正常出力可能とするための修正候補を画像情報で出力する修正候補出力工程を有することを特徴とする請求項９記載の情報処理方法。
【請求項１５】
前記修正候補出力工程は、前記修正候補をアニメーションで出力することを特徴とする請求項１４記載の情報処理方法。
【請求項１６】
前記修正候補出力工程は、前記修正候補を３Ｄオブジェクトで出力することを特徴とする請求項１４記載の情報処理方法。
【請求項１７】
請求項９〜１６のいずれか１項に記載の情報処理方法をコンピュータに実行させるためのプログラムを格納したことを特徴とするコンピュータが読み取り可能な記憶媒体。
【請求項１８】
請求項９〜１６のいずれか１項に記載の情報処理方法をコンピュータに実行させることを特徴とするプログラム。
【手続補正２】
【補正対象書類名】明細書
【補正対象項目名】００２６
【補正方法】変更
【補正の内容】
【００２６】
画像形成に用いられるオブジェクトが含まれるデータを編集可能な情報処理装置であって、前記オブジェクトの画像形成に先立って、前記オブジェクトを特定の画像形成に用いられる資源で正常出力可能かどうかを判断する判断手段と、前記判断手段が正常出力可能と判断したオブジェクトはそのオブジェクトの編集を制限し、前記判断手段が正常出力不能と判断したオブジェクトはそのオブジェクトの編集を制限しないデータを形成する形成手段とを備えることを特徴とする。
【手続補正３】
【補正対象書類名】明細書
【補正対象項目名】００６８
【補正方法】変更
【補正の内容】
【００６８】
さらに、ＣＰＵ１２が実行するアプリケーションにより、第１の電子ドキュメントに対する編集要求時に、入力される認証情報に基づいて編集要求を許可とするか不許可とするかを決定する機能を備える。これは、ユーザが正常印刷可能な第１の電子ドキュメントを安易に再編集してしまう事態を回避するとともに、敢えて編集する要求にも対応するためである。
【手続補正４】
【補正対象書類名】明細書
【補正対象項目名】０１２３
【補正方法】変更
【補正の内容】
【０１２３】
また、ラジオボタンＲＢ２は、「プリフライトチェックでエラーが出た部分」を選択する場合に指示される。つまり、ラジオボタンＲＢ２は、プリフライトチェックで正常に印刷不可能と判断された部分の認証が付加され編集が可能な電子ファイルを開く場合に選択される。
【手続補正５】
【補正対象書類名】明細書
【補正対象項目名】０１２４
【補正方法】変更
【補正の内容】
【０１２４】
また、ラジオボタンＲＢ３は、「プリフライトチェックで正常な部分」を選択する場合に指示される。つまり、ラジオボタンＲＢ３は、プリフライトチェックで正常に印刷可能と判断された部分の編集不可能な電子ファイルを開くことである。次に、Ｓ７０２で、ラジオボタンＲＢ１〜ＲＢ３のいずれかを選択する。これにより、すべて編集可能部分／編集不可部分のいずれかが選択される。
【手続補正６】
【補正対象書類名】明細書
【補正対象項目名】０１８３
【補正方法】変更
【補正の内容】
【０１８３】
このオブジェクト１３０２は、画像形成装置１０２の能力では正常な色や明るさで印刷することが出来なかった場合、修正候補作成モジュール１１７が画像形成装置１０２の能力で印刷できるように補正した何種類かのオブジェクトを作成する。そして、修正候補作成モジュール１１７が作成した候補をアニメーションオブジェクト１３０３の中に補正方法を変えたいくつかのオブジェクト１３０４、１３０５、１３０６として埋め込む。なお、オブジェクト数は、３つに限定されるものではない。
【手続補正７】
【補正対象書類名】明細書
【補正対象項目名】０１９５
【補正方法】変更
【補正の内容】
【０１９５】
〔第３実施形態〕
以下、印刷に適した１つの電子ドキュメントで、プリフライトチェックにおいて正常に印刷可能と判断された部分が編集されてしまう事態を防ぐ方法について説明する。正常に印刷可能と判断された部分とは、変更しないことが望ましい部分に該当し、ユーザに自由に編集を認めてしまうと、さらにプリフライトチェックで正常に印刷できない部分と判定されてしまうおそれのある部分である。